(57)【要約】      （修正有）【課題】部品点数の削減と工数の削減を図れ、ロータリースイッチの位置だしを容易に行うことができる。【解決手段】カセットローディングとテープローディングの動作モードに応じて回動され、これらのローディングの動作を制御するために用いられ、基板１に取り付けられるベース９とこのベース９の上面に配置される回転体１０とこの回転体１０と一体に回転するカムギヤ２とを有し、回転体１０とカムギヤ２とがスライド式のフック構造で接続されていて、フック構造は、回転体１０の上面に突出されて略Ｔ字形の嵌合片１１ａが形成された下側フック部１１と、カムギヤ２の下面に突出されて略Ｔ字形の嵌合溝１２ａが形成された上側フック部１２とで構成され、回転体１０の下側フック部１１の嵌合片１１ａとカムギヤ２の上側フック部１２の嵌合溝１２ａとが嵌め合わされることによって、回転体１０とカムギヤ２とが取り外し可能に一体化されている。【選択図】  図４
2005190575.tif 000002
【特許請求の範囲】
【請求項１】
ローディングモータの駆動力により回動し、カセット排出状態からカセット収納までの動作であるカセットローディングとテープ再生・記録等の動作を行うテープローディングの機構を動作させるカムギヤを有するカセットデッキと、前記カセットデッキにおける前記カムギヤに取り付けられて、前記カムギヤの回動と共に回動するロータリースイッチとを備え、その回動位相を検出することによって、カセットローディングの状態とテープローディングの状態とを検出して、これらのローディングの動作を制御するカセットデッキにおいて、前記ロータリースイッチは回転位相を検出するための信号を出力する端子を有し、この端子によって基板に取り付けられるベースとこのベースの上面に配置される回転体とこの回転体の上面に突出されて略Ｔ字形の嵌合片が形成されたフック部とで形成され、前記カムギヤは下面に突出されて略Ｔ字形の嵌合溝が形成されたフック部を前記回転体のフック部の嵌合片と前記カムギヤのフック部の嵌合溝とが嵌め合わされることによって、前記回転体と前記カムギヤとがスライドによって取り外し可能に一体化されていることを特徴とするカセットデッキ。
【請求項２】
カセットデッキにおけるカセット排出状態からカセット収納までの動作であるカセットローディングとテープの再生・記録等の動作を行うテープローディングの動作モードに応じて回動し、カセットローディングの状態とテープローディングの状態とを検出して、これらのローディングの動作を制御するために用いられるカセットデッキのロータリースイッチにおいて、基板に取り付けられるベースとこのベースの上面に配置されるフック部を有する回転体とを備え、前記フック部はカセットデッキにおける機構の一部であるカムギヤに形成されたフック部と、スライド式のフック構造で接続されて一体に回転可能になるように構成されていることを特徴とするカセットデッキのロータリースイッチ。
【請求項３】
前記フック構造が、回転体の上面に突出されて略Ｔ字形の嵌合溝が形成された下側フック部と、前記カムギヤの下面に突出されて略Ｔ字形の嵌合片が形成されていて、前記回転体の下側フック部の嵌合溝と前記カムギヤの上側フック部の嵌合片とが嵌め合わされることによって、前記回転体と前記カムギヤとが取り外し可能に一体化されている請求項２に記載のカセットデッキのロータリースイッチ。
【発明の詳細な説明】
【技術分野】
【０００１】
本発明は、カセットデッキの動作モードに応じて回動されるカセットデッキのロータリースイッチに関するものである。
【背景技術】
【０００２】
一般に、ビデオデッキ等のカセットデッキは、ローディングモータの駆動力により回動し、カセット排出状態からカセット収納までの動作であるカセットローディングとテープの再生、巻き戻し等の動作であるテープローディングの各動作モードに応じて回動し、カセットローディングの状態とテープローディングの状態とを検出して、これらのローディングの動作を制御するために用いられるロータリースイッチを備えている。このロータリースイッチとして、従来、例えば、図６（ａ）（ｂ）に示すものがある。このロータリースイッチは、基板１０１に取り付けられたベース１０２と、このベース１０２上の回転体１０３と、この回転体の回転と一体に回転するカムギヤ１０４とが備えられている。
【０００３】
このロータリースイッチは、回転体１０３の縁部近傍箇所からピン１０５が上向きに突出されて、このピン１０５の上部がカムギヤ１０４の縁部近傍箇所のピン挿入孔１０４ａに挿入された状態でカムギヤ１０４は回転体１０３と一体に回転されるようになっていた。また、この従来のロータリースイッチは基板固定用のビスを必要としていた。
【０００４】
ところが、この従来のロータリースイッチにおいては、基板固定用のビスを必要とするとともに、ピン１０５を必要とするために部品点数が多くなるという問題があった。
【０００５】
また、実開昭６２−２０２７２６号公報に記載された回転モードスイッチは、配線パターンを備えたプリント基板と、このプリント基板に対し回転可能に設けられて配線パターンに接触する摺動子を備えたローターとからなる回転モードスイッチであって、プリント基板とローターの少なくとも一方に位置決め用の貫通穴を設けたものである。
【０００６】
ところが、これにおいては、貫通穴に挿入するためのピンを必要としていた。
【０００７】
また、実開昭６３−５６５３５号公報に記載されたロータリー型スイッチ基板の位置決め装置は、接点パターンを形成したスイッチ基板に、スイッチ基板を回転操作するためのロータを重合して一体回転させるロータリ型スイッチであって、ロータの中心と基板の中心とを軸係合し、ロータと基板との周縁対応部に、凹部と凸部との相互に係止対応する位置決め対応部を形成したものである。
【０００８】
ところが、これにおいては、固定用のピンを必要としていた。
【０００９】
また、実用新案登録第３０７４１７８号公報に記載されたカセットデッキのモードスイッチは、カセットデッキの動作モードに応じて回動されるものであり、ステータとロータとを備えている。ステータは複数の接点が形成された接点形成面を有する。ロータはステータの接点形成面と対向する面に各接点と接触可能な摺動子を有する円板状のものである。そして、ステータとロータとは接点形成面の外周側で回動自在に嵌合することにより互いに径方向に位置決めされているものである。
【００１０】
ところが、これにおいては、上下方向の抜けが発生するために、ビス止めしなくてはならなかった。
【特許文献１】実開昭６２−２０２７２６号公報
【特許文献２】実開昭６３−５６５３５号公報
【特許文献３】実用新案登録第３０７４１７８号公報
【発明の開示】
【発明が解決しようとする課題】
【００１１】
本発明は、上記した従来の問題を解消し、基板固定用のビスを削減することができて、部品点数の削減と工数の削減を図れ、ロータリースイッチの位置だしを容易に行うことができるカセットデッキのロータリースイッチを提供することを目的としている。
【課題を解決するための手段】
【００１２】
本発明は、上記課題を解決するために提案されたものであって、請求項１に記載の発明は、ローディングモータの駆動力により回動し、カセット排出状態からカセット収納までの動作であるカセットローディングとテープ再生・記録等の動作を行うテープローディングの機構を動作させるカムギヤを有するカセットデッキと、前記カセットデッキにおける前記カムギヤに取り付けられて、前記カムギヤの回動と共に回動するロータリースイッチとを備え、その回動位相を検出することによって、カセットローディングの状態とテープローディングの状態とを検出して、これらのローディングの動作を制御するカセットデッキにおいて、前記ロータリースイッチは回転位相を検出するための信号を出力する端子を有し、この端子によって基板に取り付けられるベースとこのベースの上面に配置される回転体とこの回転体の上面に突出されて略Ｔ字形の嵌合片が形成されたフック部とで形成され、前記カムギヤは下面に突出されて略Ｔ字形の嵌合溝が形成されたフック部を前記回転体のフック部の嵌合片と前記カムギヤのフック部の嵌合溝とが嵌め合わされることによって、前記回転体と前記カムギヤとがスライドによって取り外し可能に一体化されていることを特徴としている。
【００１３】
請求項２に記載の発明は、カセットデッキにおけるカセット排出状態からカセット収納までの動作であるカセットローディングとテープの再生・記録等の動作を行うテープローディングの動作モードに応じて回動し、カセットローディングの状態とテープローディングの状態とを検出して、これらのローディングの動作を制御するために用いられるカセットデッキのロータリースイッチにおいて、基板に取り付けられるベースとこのベースの上面に配置されるフック部を有する回転体とを備え、前記フック部はカセットデッキにおける機構の一部であるカムギヤに形成されたフック部と、スライド式のフック構造で接続されて一体に回転可能になるように構成されている。
【００１４】
請求項３に記載の発明は、前記フック構造が、回転体の上面に突出されて略Ｔ字形の嵌合溝が形成されたフック部と、前記カムギヤの下面に突出されて略Ｔ字形の嵌合片が形成されていて、前記回転体のフック部の嵌合溝と前記カムギヤのフック部の嵌合片とが嵌め合わされることによって、前記回転体と前記カムギヤとが取り外し可能に一体化されている。
【発明の効果】
【００１５】
請求項１に記載の発明によれば、回転体に設けた嵌合片を有するフック部とカムギヤに設けた嵌合溝を有するフック部とを嵌合させるだけで、基板を含む上下の部材を取り付けることができるので、基板固定用のビスを削減することができて、部品点数の削減と工数の削減を図れ、ロータリースイッチの位置出しを容易に行うことができる。更に、回転体の上面のフック部の嵌合片とカムギヤの下面のフック部の嵌合溝とを嵌め合わせるだけで、回転体とカムギヤを簡単に一体化することができる。
【００１６】
請求項２に記載の発明によれば、回転体とカムギヤとのスライド式のフック構造によって、回転体とカムギヤとを一体化することができるので、基板固定用のビスを削減することができて、部品点数の削減と工数の削減を図れ、ロータリースイッチの位置だしを容易に行うことができる。
【００１７】
請求項３に記載の発明によれば、回転体の上面のフック部の嵌合溝とカムギヤの下面のフック部の嵌合片とを嵌め合わせるだけで、回転体とカムギヤとを簡単に一体化することができる。
【発明を実施するための最良の形態】
【００１８】
以下、本発明に係るカセットデッキのロータリースイッチの実施の形態について、図を参照しつつ説明する。
【００１９】
図１は本発明のカセットデッキのロータリースイッチが設けられたデッキ本体部分の全体構成を示す裏面図、図２は同デッキ本体部分の平面図、図３はカセットデッキのロータリースイッチの実施形態の概略平面図、図４は同ロータリースイッチの正面から見た嵌合状態を示し、（ａ）はその嵌合した状態の正面図、（ｂ）はその嵌合する前の状態の正面図、図５は同ロータリースイッチの側面から見た嵌合状態を示し、（ａ）はその嵌合した状態の側面図、（ｂ）はその嵌合する前の状態の側面図である。
【００２０】
本実施形態のカセットデッキのロータリースイッチは、図１、図２に示すように、ロータリースイッチ１のカムギヤ２がベルト３を介してローディングモータ４で回転されるようになっている。カムギヤ１が回転されるとモードレバー５が前後移動して、カセットローディングとテープローディングの動作が行われる。カセットローディングとは、ローディングモータ４の駆動力により回動し、カセット排出状態からカセット収納までの動作のことであり、テープローディングとは、テープの再生・記録等の動作のことである。
【００２１】
このロータリースイッチ１のカムギヤ２は、図４（ａ）（ｂ）、図５（ａ）（ｂ）に示すように、図にて上側からカセットローディング用ギヤに噛み合う第１ギヤ１ａとスクリューギヤ６（図１参照）に噛み合う第２ギヤ１ｂとモードレバー５に噛み合う第３ギヤ１ｃとから構成されている。そして、このカムギヤ２はデッキシャーシ７に回動自在に取り付けられている。
【００２２】
また、ロータリースイッチ１の下部分は、基板８に取り付けられるベース９とこのベース９の上面に配置される回転体１０とで構成されている。この回転体１０はカムギヤ２と一体に回転するようになっている。そして、回転体１０とカムギヤ２とがスライド式のフック構造で接続されているこのフック構造は、回転体１０の上面に突出されて略Ｔ字形の嵌合片１１ａが形成されたフック部１１と、カムギヤ２の下面に突出されて略Ｔ字形の嵌合溝１２ａが形成されたフック部１２とで構成されている。
【００２３】
そして、回転体１０のフック部１１の嵌合片１１ａとカムギヤ２のフック部１２の嵌合溝１２ａとが嵌め合わされることによって、回転体１０とカムギヤ２とが取り外し可能に一体化されるようになっている。
【００２４】
本実施形態のカセットデッキのロータリースイッチによれば、回転体１０のフック部１１の嵌合片１１ａとカムギヤ２のフック部１２の嵌合溝１２ａが嵌合されることによって、基板８側の回転体１０とカムギヤ２が一体に取り付けられるので、基板固定用のビスを削減することができて、部品点数の削減と工数の削減を図れ、ロータリースイッチの位置だしを容易に行うことができる。
【００２５】
尚、回転体１０のフック部１１に嵌合溝を設け、カムギヤ２のフック部１２に嵌合片を設け、これらを嵌め合わせるように構成してもよいことは勿論である。
【図面の簡単な説明】
【００２６】
【図１】本発明のカセットデッキのロータリースイッチが設けられたデッキ本体部分の全体構成を示す裏面図である。
【図２】同デッキ本体部分の平面図である。
【図３】カセットデッキのロータリースイッチの実施形態の概略平面図である。
【図４】同ロータリースイッチの正面から見た嵌合状態を示し、（ａ）はその嵌合した状態の正面図、（ｂ）はその嵌合する前の状態の正面図である。
【図５】同ロータリースイッチの側面から見た嵌合状態を示し、（ａ）はその嵌合した状態の側面図、（ｂ）はその嵌合する前の状態の側面図である。
【００２７】
本発明のカセットデッキのロータリースイッチの実施形態の概略平面図である。
【図６】従来のカセットデッキのロータリースイッチを示し、（ａ）はその概略平面図、（ｂ）はその正面図である。
【符号の説明】
【００２８】
１        ロータリースイッチ
１ａ      第１ギヤ
１ｂ      第２ギヤ
１ｃ      第３ギヤ
２        カムギヤ
３        ベルト
４        ローディングモータ
５        モードレバー
６        スクリューギヤ
７        デッキシャーシ
８        基板
９        ベース
１０      回転体
１１      フック部
１１ａ    嵌合片
１２      フック部
１２ａ    嵌合溝
【図１】
2005190575.tif 000003
【図２】
2005190575.tif 000004
【図３】
2005190575.tif 000005
【図４】
2005190575.tif 000006
【図５】
2005190575.tif 000007
【図６】
2005190575.tif 000008